(57)【要約】      （修正有）【課題】回収式にすることで洗剤水の消費量を抑えつつ、洗浄性能の低下を抑制することができる浴槽洗浄装置を提供する。【解決手段】浴槽洗浄装置は、洗剤を貯留する洗剤タンクと、洗剤タンクから供給される洗剤と給水源から供給される水とを混合して洗剤水を生成する洗剤混合部４０と、浴槽の内壁面に洗剤水を噴射する洗浄ノズルと、浴槽の内壁面に接続され、洗浄ノズルから噴射された洗剤水を回収する回収流路と、回収流路に接続され、洗剤水を貯留可能な回収部５０と、回収部と洗浄ノズルとを接続する洗浄流路と、洗浄流路に設けられ、回収部で貯留された洗剤水を洗浄ノズルへと供給する第１ポンプと、を備えている。回収部は、回収部内に存在する泡を消す消泡手段を有している。【選択図】図４
2020096664.tif 000002
【特許請求の範囲】
【請求項１】
洗剤を貯留する洗剤タンクと、
前記洗剤タンクから供給される洗剤と給水源から供給される水とを混合して洗剤水を生成する洗剤混合部と、
浴槽の内壁面に前記洗剤水を噴射する洗浄ノズルと、
前記浴槽の前記内壁面に接続され、前記洗浄ノズルから噴射された前記洗剤水を回収する回収流路と、
前記回収流路に接続され、前記洗剤水を貯留可能な回収部と、
前記回収部と前記洗浄ノズルとを接続する洗浄流路と、
前記洗浄流路に設けられ、前記回収部で貯留された前記洗剤水を前記洗浄ノズルへと供給する第１ポンプと、を備え、
前記回収部は、前記回収部内に存在する泡を消す消泡手段を有することを特徴とする浴槽洗浄装置。
【請求項２】
前記洗剤混合部は、前記洗剤水を貯留可能な洗剤混合タンクであり、
前記回収部は、前記洗剤混合タンクに設けられ、
前記消泡手段は、前記回収流路が接続される回収口と、内部が前記回収口に連通する回収側空間を形成する区画壁と、を有し、前記回収側空間の内部で消泡するように構成されていることを特徴とする請求項１に記載の浴槽洗浄装置。
【請求項３】
前記消泡手段として、前記回収口から供給される前記洗剤水を上方から下方に向けて流すことで前記回収側空間に存在する前記泡を消泡するように、前記回収口が前記回収側空間の上方に設けられていることを特徴とする請求項２に記載の浴槽洗浄装置。
【請求項４】
前記区画壁には、前記回収側空間に貯留された前記泡の通過を抑制し、前記回収側空間に流出した前記洗剤水の通過を許可する通過部が設けられることを特徴とする請求項２または３に記載の浴槽洗浄装置。
【請求項５】
前記通過部は、前記洗剤水の通過を許可し前記泡の通過を阻止するフィルタであることを特徴とする請求項４に記載の浴槽洗浄装置。
【請求項６】
前記回収口は、前記回収側空間の中央部から前記区画壁の側壁に片寄った位置に設けられていることを特徴とする請求項２〜５のいずれか１つに記載の浴槽洗浄装置。
【請求項７】
前記回収口は、前記区画壁の最上部に設けられていることを特徴とする請求項２〜６のいずれか１つに記載の浴槽洗浄装置。
【請求項８】
前記区画壁は、前記洗剤混合タンクの内部を鉛直方向および水平方向に区切ることにより前記回収側空間を形成することを特徴とする請求項２〜７のいずれか１つに記載の浴槽洗浄装置。
【請求項９】
前記回収流路には、前記浴槽の前記内壁面に噴射された前記洗剤水を前記回収部に回収する第２ポンプが設けられ、
前記第１ポンプの流量は、前記第２ポンプの流量よりも多くなるように制御されることを特徴とする請求項１〜８のいずれか１つに記載の浴槽洗浄装置。
【発明の詳細な説明】
【技術分野】
【０００１】
本発明は、浴槽洗浄装置に関する。
【背景技術】
【０００２】
従来、浴槽の内壁面等に対してノズルから洗剤を水で希釈した洗剤水を噴射させて浴槽の内壁面を洗浄する浴槽洗浄装置が知られている（例えば、特許文献１）。この浴槽洗浄装置では、浴槽内に向けてノズルから噴射させた洗剤水を回収して貯水タンクに貯水している。その後、循環ポンプの作動により貯水タンク内の洗剤水を吸い込んで浴槽内に再噴射させることで循環洗浄が実行されている。
【先行技術文献】
【特許文献】
【０００３】
【特許文献１】特開２０１３−９８５３号公報
【発明の概要】
【発明が解決しようとする課題】
【０００４】
上述した従来技術では、浴槽内に向けてノズルから噴射させた洗剤水を回収して、その回収した洗剤水を再度浴槽内に向けてノズルから噴射させる回収式となっている。これにより、浴槽内全体を洗浄することを可能としながらも、洗剤水の消費量を抑えることができる。
【０００５】
しかし、このような回収式の構成では、浴槽内に向けてノズルから噴射させた洗剤水を回収する際に、わずかでも空気が混入すると洗剤水が泡化し、貯水タンク内に泡が侵入してしまう。そして、貯水タンク内に泡があると、回収した洗剤水を浴槽内に再噴射する際に、その泡を巻き込み、ノズルからの洗剤水の噴射がうまく行われず、浴槽の洗浄不良になるという問題がある。また、洗剤水が泡化すると、浴槽と貯水タンクとの間で循環可能な洗剤水の量が低下するので、回収した洗剤水を有効活用することができなくなるという問題がある。
【０００６】
本発明はかかる課題の認識に基づいてなされたものであり、回収式にすることで洗剤水の消費量を抑えつつ、洗浄性能の低下を抑制できる浴槽洗浄装置を提供することを目的とする。
【課題を解決するための手段】
【０００７】
第１の発明は、洗剤を貯留する洗剤タンクと、前記洗剤タンクから供給される洗剤と給水源から供給される水とを混合して洗剤水を生成する洗剤混合部と、浴槽の内壁面に前記洗剤水を噴射する洗浄ノズルと、前記浴槽の前記内壁面に接続され、前記洗浄ノズルから噴射された前記洗剤水を回収する回収流路と、前記回収流路に接続され、前記洗剤水を貯留可能な回収部と、前記回収部と前記洗浄ノズルとを接続する洗浄流路と、前記洗浄流路に設けられ、前記回収部で貯留された前記洗剤水を前記洗浄ノズルへと供給する第１ポンプと、を備え、前記回収部は、前記回収部内に存在する泡を消す消泡手段を有することを特徴とする浴槽洗浄装置である。
【０００８】
この浴槽洗浄装置によれば、消泡手段を備えるため、浴槽の内壁面に噴射した洗剤水を回収する際に空気が混ざり泡が発生したり、回収した洗剤水が回収部の内部に流入する際に泡が発生したりしても、消泡手段によりその発生した泡を液体化することができる。そのため、洗浄ノズルからの洗浄水の噴射がうまく行われず、浴槽の洗浄不良となることを抑制することができる。また、泡化した洗剤水を液体に戻すことができるため、回収した洗浄水を有効に活用することができる。よって、回収式にすることで洗浄水の消費量を抑えつつも、洗浄性能の低下を防止することができる。
【０００９】
ここで消泡手段としては、例えばブラシ等の突起構造体や網目構造体を設置したり、これら構造体を回転機構により回転させることで実現することができる。また、突起状微粒子や洗剤水よりも表面張力が小さい材料でなる消泡剤を用いることで、消泡を実現することができる。この消泡剤を用いる場合には、洗剤水と容易に層分離できるものが好ましい。さらに消泡剤を用いることなく、別途供給した水等を泡に噴出することで部分的に泡の表面張力を低下させて消泡することもできる。
【００１０】
第２の発明は、第１の発明において、前記洗剤混合部は、前記洗剤水を貯留可能な洗剤混合タンクであり、前記回収部は、前記洗剤混合タンクに設けられ、前記消泡手段は、前記回収流路が接続される回収口と、内部が前記回収口に連通する回収側空間を形成する区画壁と、を有し、前記回収側空間の内部で消泡するように構成されていることを特徴とする浴槽洗浄装置である。
【００１１】
この浴槽洗浄装置によれば、所定の容積を有する消泡を目的とした回収側空間を備えるため、洗剤水を回収する際に泡が発生したとしても、その発生した泡を当該空間によって効率よく液体化させることができる。特に、当該回収側空間の容積を小さく設定することで、より効率的に消泡することができる。
【００１２】
第３の発明は、第２の発明において、前記消泡手段として、前記回収口から供給される前記洗剤水を上方から下方に向けて流すことで前記回収側空間に存在する前記泡を消泡するように、前記回収口が前記回収側空間の上方に設けられていることを特徴とする浴槽洗浄装置である。
【００１３】
この浴槽洗浄装置によれば、回収流路から供給される洗剤水が上方から下方に向けて流れることで回収側空間内の泡を消泡するように、回収流路と洗剤混合タンクとの接続部である回収口が回収側空間の上方に配置されている。そのため、回収側空間内に存在する泡に、回収流路を通って回収された洗剤水を上方から衝突させて、泡を形成する洗剤水の表面張力を超えるエネルギを付与することで膜を破り、消泡することができる。よって、洗剤水を回収しつつ、洗剤水を回収する際に発生した泡を液体化することができる。
【００１４】
第４の発明は、第２または第３の発明において、前記区画壁には、前記回収側空間に貯留された前記泡の通過を抑制し、前記回収側空間に流出した前記洗剤水の通過を許可する通過部が設けられることを特徴とする浴槽洗浄装置である。
【００１５】
この浴槽洗浄装置によれば、区画壁は通過部を備えるため、泡と液体（洗剤水）とを分離しながら洗剤水を回収することができる。そのため、通過部を備えていない場合と比較して、回収した洗剤水を早く洗浄ノズルから噴射させることができる。すなわち、消泡しながらも洗浄時間を短くすることができるので、効率よく浴槽洗浄を行うことができる。
【００１６】
第５の発明は、第４の発明において、前記通過部は、前記洗剤水の通過を許可し前記泡の通過を阻止するフィルタであることを特徴とする浴槽洗浄装置である。
【００１７】
この浴槽洗浄装置によれば、通過部はフィルタであるため、簡易な構成で通過部を構成することができる。
【００１８】
第６の発明は、第２〜第５のいずれか１つの発明において、前記回収口は、前記回収側空間の中央部から前記区画壁の側壁に片寄った位置に設けられていることを特徴とする浴槽洗浄装置である。
【００１９】
この浴槽洗浄装置によれば、回収口を区画壁の側壁に片寄った位置に設けているため、回収流路を通って回収された洗剤水の液体を、区画壁の内面側に集まりやすい泡に効果的に衝突させやすくなる。よって、洗剤水を回収する際に泡が発生したとしても、その発生した泡をより効率よく液体化させることができる。
【００２０】
第７の発明は、第２〜第６のいずれか１つの発明において、前記回収口は、前記区画壁の最上部に設けられていることを特徴とする浴槽洗浄装置である。
【００２１】
この浴槽洗浄装置によれば、回収口は、区画壁の最上部に設けられているため、回収流路を通って回収された洗剤水の液体をより確実に泡に衝突させやすくなる。よって、洗剤水を回収する際に泡が発生したとしても、その発生した泡をより効率よく液体化させることができる。
【００２２】
第８の発明は、第２〜第７のいずれか１つの発明において、前記区画壁は、前記洗剤混合タンクの内部を鉛直方向および水平方向に区切ることにより前記回収側空間を形成することを特徴とする浴槽洗浄装置である。
【００２３】
この浴槽洗浄装置によれば、区画壁は、洗剤混合タンク内の空間を鉛直方向および水平方向に区切ることで回収側空間を形成しているため、回収側空間を比較的狭く構成することができる。そのため、回収流路を通って回収された洗剤水の液体をより効果的に泡に衝突させやすくなる。よって、洗剤水を回収する際に泡が発生したとしても、その発生した泡をより効率よく液体化させることができる。
【００２４】
第９の発明は、第１〜第８のいずれか１つの発明において、前記回収流路には、前記浴槽の前記内壁面に噴射された前記洗剤水を前記回収部に回収する第２ポンプが設けられ、前記第１ポンプの流量は、前記第２ポンプの流量よりも多くなるように制御されることを特徴とする浴槽洗浄装置である。
【００２５】
この浴槽洗浄装置によれば、浴槽の内壁面への洗剤水の噴射量を回収量よりも多くしている。従って、浴槽から回収部に洗剤水を回収するときに、洗剤水に空気が混入するのを抑制することができる。その結果、洗剤水が泡化するのを抑制することができ、浴槽洗浄を円滑に行うことができる。
【発明の効果】
【００２６】
本発明の態様によれば、回収式にすることで洗剤水の消費量を抑えつつ、洗浄性能の低下を抑制することができる浴槽洗浄装置が提供される。
【図面の簡単な説明】
【００２７】
【図１】実施形態に係る浴槽洗浄装置のシステム図である。
【図２】本発明の第１実施形態に係る洗剤混合タンクの斜視図である。
【図３】洗剤混合タンクの断面図である。
【図４】泡貯留部内に存在する泡が消されている状態を示す断面図である。
【図５】本発明の第２実施形態に係る洗剤混合タンクの断面図である。
【図６】本発明の第１変形例に係る浴槽洗浄装置のシステム図である。
【図７】本発明の第２変形例に係る浴槽洗浄装置のシステム図である。
【図８】本発明の第３変形例に係る浴槽洗浄装置のシステム図である。
【発明を実施するための形態】
【００２８】
以下、添付図面を参照しながら本発明の実施形態について説明する。説明の理解を容易にするため、各図面において同一の構成要素に対しては可能な限り同一の符号を付して、重複する説明は省略する。
【００２９】
図１ないし図４は、本発明の第１実施形態を示している。
図１は、実施形態に係る浴槽洗浄装置２００のシステム図である。
【００３０】
浴槽洗浄装置２００は、洗剤タンク１０と、洗浄ノズル２０と、洗浄流路２５と、第１ポンプ２６と、回収流路３０と、洗剤混合タンク４０と、回収部５０と、制御部８０とを備える。浴槽洗浄装置２００は、浴槽１００に設置される。
【００３１】
洗剤タンク１０は、浴槽１００のリムの上面に設けられた洗剤投入口１３５と接続されており、洗剤投入口１３５から投入された洗剤を貯留する。洗剤タンク１０には、フロートスイッチなどの水位検知部１１が設けられる。
【００３２】
洗剤流路１５は、洗剤タンク１０から延び、回収流路３０を介して洗剤混合タンク４０に接続されている。すなわち、洗剤流路１５は、回収流路３０の途中部位に接続されている。なお、洗剤流路１５は、回収流路３０に接続せずに、洗剤混合タンク４０に直接接続させてもよい。洗剤流路１５は、洗剤タンク１０内の洗剤を洗剤混合タンク４０に導くものである。そして、洗剤流路１５には、開閉弁１６と、流量調整部１７とが設けられる。
【００３３】
開閉弁１６は、例えば電磁弁であり、洗剤混合タンク４０への洗剤の供給を制御する。開閉弁１６を開状態にすることで、洗剤タンク１０に貯留された洗剤が洗剤混合タンク４０に供給される。一方、開閉弁１６を閉状態にすることで、洗剤タンク１０から洗剤混合タンク４０への洗剤の供給が停止される。
【００３４】
流量調整部１７は、開閉弁１６の下流に設けられる。流量調整部１７は、例えばオリフィスである。流量調整部１７は、洗剤流路１５を流れる洗剤の流量を調整する。流量調整部１７は、必要に応じて設けられ、省略可能である。なお、洗剤流路１５における「下流」とは、洗剤タンク１０から洗剤混合タンク４０に向かって液体が流れる場合における下流（すなわち、洗剤混合タンク４０側）である。
【００３５】
洗浄ノズル２０は、浴槽１００の内壁面１１０に設けられる。具体的には、洗浄ノズル２０は、浴槽１００の内壁面１１０の最下部に位置する内底面１１１、または内底面１１１よりも上方に位置する内側壁面１１２に設けられる。洗浄ノズル２０は、液体（洗剤水または水）を浴槽１００の内壁面１１０（内側壁面１１２）に向けて噴出する。洗浄ノズル２０は、モータ２１により鉛直方向を軸に（すなわち、水平方向に）回転可能に設けられている。
【００３６】
洗浄流路２５は、洗剤混合タンク４０と洗浄ノズル２０とを接続する。洗浄流路２５には、第１ポンプ２６と、逆流防止部２７と、が設けられる。洗浄流路２５は、洗剤混合タンク４０内の液体を洗浄ノズル２０に向けて導くものである。
【００３７】
第１ポンプ２６は、洗浄ノズル２０からの液体の噴出を制御する。第１ポンプ２６は、例えばギアポンプからなり、洗剤混合タンク４０の下流に設けられている。第１ポンプ２６は、洗剤混合タンク４０（回収部５０）で貯留された洗剤水または水を洗浄ノズル２０へと供給する。なお、洗浄流路２５における「下流」とは、洗剤混合タンク４０から洗浄ノズル２０に向かって液体が流れる場合における下流（すなわち、洗浄ノズル２０側）である。
【００３８】
逆流防止部２７は、第１ポンプ２６と洗剤混合タンク４０との間に設けられる。逆流防止部２７は、例えば逆止弁からなり、洗剤混合タンク４０から流出した液体が洗剤混合タンク４０へ戻るのを抑制する。逆流防止部２７は、電磁弁などの開閉弁であってもよい。図１に示すように、逆流防止部２７は、洗浄流路２５に直列して複数個（２個）設けられている。なお、逆流防止部２７は、洗浄流路２５に１個設けられていてもよい。
【００３９】
排水部１１５は、浴槽１００の内底面１１１に設けられる。排水部１１５は、浴槽１００内の液体を排出するためのもので、内底面１１１から下方に向かって延び、上下方向に貫通する筒状体となっている。この筒状体の上端側には、開閉可能な蓋部（浴槽１００の栓）が設けられている。浴槽１００の内底面１１１は、排水部１１５に向かって下方傾斜している。このような下方傾斜を設けることで、浴槽１００内の液体は内底面１１１に沿って排水部１１５に導かれる。排水部１１５には、下水道に接続される排水流路１１６と、浴槽１００内の洗剤水を洗剤混合タンク４０に回収する回収流路３０とが接続されている。
【００４０】
回収流路３０は、排水部１１５と洗剤混合タンク４０（回収部５０）との間を接続している。回収流路３０の途中部位には、洗剤流路１５が接続されている。回収流路３０は、排水部１１５を介して浴槽１００の内壁面１１０（内底面１１１）に接続され、洗浄ノズル２０から噴射された洗剤水を回収する。回収流路３０には、開閉弁３１と、第２ポンプ３２とが設けられている。
【００４１】
開閉弁３１は、例えば電磁弁であり、洗剤流路１５との接続部よりも浴槽１００から洗剤混合タンク４０に向けて流れる洗剤水の上流（排水部１１５側）に設けられている。開閉弁３１は、浴槽１００内の洗剤水を回収するときに開状態となる。
【００４２】
第２ポンプ３２は、例えばダイアフラムポンプからなり、洗剤流路１５との接続部よりも下流（洗剤混合タンク４０側）に設けられる。第２ポンプ３２は、浴槽１００内の洗剤水を洗剤混合タンク４０に向けて回収するときに駆動される。この場合、第２ポンプ３２の駆動により回収流路３０を流通する洗剤水の流量は、第１ポンプ２６の駆動により洗浄流路２５を流通する洗剤水の流量よりも小さくなるように制御される（第２ポンプの流量＜第１ポンプ２６の流量）。これにより、浴槽１００に噴射される洗剤水の量が回収される洗剤水の量よりも多くなるので、回収流路３０に空気が入るのが抑制される。また、第２ポンプ３２は、洗剤タンク１０内の洗剤を洗剤混合タンク４０に向けて供給するときに駆動される。
【００４３】
洗剤混合タンク４０は、洗剤タンク１０および給水源ＷＳの下流に設けられる。洗剤混合タンク４０は、洗剤タンク１０から供給される洗剤と給水源ＷＳから供給される水とを混合して洗剤水を生成するもので、本発明の洗剤混合部を構成している。なお、本願明細書において「水」という場合には、冷水のみならず、加熱されたお湯も含むものとする。つまり、給水源ＷＳは、給湯器を有していてもよい。洗剤混合タンク４０は、洗浄ノズル２０から洗剤水を噴出する場合には洗剤水を貯留し、洗浄ノズル２０から水を噴出する場合には水を貯留する。
【００４４】
また、洗剤混合タンク４０には、洗浄ノズル２０から浴槽１００に噴出された洗剤水を回収する回収部５０が設けられている。回収部５０は、洗剤水および泡Ｂを貯留可能となっている。回収部５０に回収された洗剤水は、第１ポンプ２６により洗浄流路２５を流通して洗浄ノズル２０から浴槽１００の内壁面１１０に向けて噴出される。そして、噴出された洗剤水は、排水部１１５から回収流路３０を介して回収部５０に再び回収される。これを繰り返すことで、洗剤水を循環させながら浴槽洗浄を行うことができる。さらに、回収部５０は、浴槽１００から洗剤水を回収するときに発生した泡Ｂを消泡する消泡手段を有している。洗剤混合タンク４０および回収部５０の構成については、後述で詳しく説明する。
【００４５】
給水流路６０は、給水源ＷＳと洗剤混合タンク４０との間に設けられる。給水流路６０は、給水源ＷＳと洗剤混合タンク４０とを接続する。給水流路６０には、開閉弁６１と、流量調整部６２と、が設けられる。
【００４６】
開閉弁６１は、例えば電磁弁であり、給水源ＷＳから洗剤混合タンク４０への水の供給を制御する。この場合、開閉弁６１を開状態にすることで、給水源ＷＳからの水が洗剤混合タンク４０に供給される。一方、開閉弁６１を閉状態にすることで、給水源ＷＳから洗剤混合タンク４０への水の供給が停止される。
【００４７】
流量調整部６２は、開閉弁６１の下流に設けられる。流量調整部６２は、例えば定流量弁であり、給水流路６０を流れる水の流量を調整する。なお、給水流路６０における「下流」とは、給水源ＷＳから洗剤混合タンク４０に向かって液体（水）が流れる場合における下流（すなわち、洗剤混合タンク４０側）である。
【００４８】
制御部８０は、開閉弁１６、第１ポンプ２６、開閉弁３１、第２ポンプ３２、開閉弁６１、および水位検知手段４８と電気的に接続されている。制御部８０は、水位検知手段４８の検知結果に基づいて、各開閉弁１６、３１，６１の開閉状態および各ポンプ２６，３２の駆動を制御する。また、制御部８０は、モータ２１と電気的に接続して、モータ２１の駆動を制御してもよい。
【００４９】
次に、洗剤混合タンク４０と回収部５０とについて説明する。
図２は、洗剤混合タンク４０を斜め上側から見た斜視図である。
図３は、洗剤混合タンク４０の断面図である。
図４は、泡貯留部５１内に存在する泡Ｂが消されている状態を示す断面図である。
【００５０】
洗剤混合タンク４０と回収部５０とは一体に形成されており、洗剤タンク１０から供給される洗剤と給水源ＷＳから供給される水とを混合して洗剤水を生成する機能と、浴槽１００から回収された洗剤水および泡Ｂを貯留する機能と、貯留された泡Ｂを消滅する機能とを有している。この場合、洗剤混合タンク４０は、回収流路３０が接続された回収側空間Ｓ１と、洗浄流路２５が接続された供給側空間Ｓ２とを有している。そして、洗剤混合タンク４０は、ケース４１と、ケース４１の上側を覆う蓋部４５とを含んで構成されている。
【００５１】
図２ないし図４に示すように、ケース４１は、例えば上方が開口したボックス状に形成され、水および洗剤水が貯留される。ケース４１は、上側に位置する上側貯留部４２と、上側貯留部４２の下側に位置して上側貯留部４２よりも小さい容量に形成された段落部４３とを有している。上側貯留部４２の側面には、上端側に洗剤混合タンク４０から回収流路３０および給水流路６０に洗剤水が逆流するのを抑制するオーバーフロー部４２ａが設けられている。従って、図３に示すように、オーバーフロー部４２ａよりも下側には、洗浄ノズル２０から洗剤水を噴射しているとき（浴槽洗浄中）の洗剤混合タンク４０の最高水位ＷＨが位置している。
【００５２】
段落部４３は、ケース４１の底部４１ａが一部段落ちすることにより形成されている。すなわち、段落部４３は、上側貯留部４２の中央部から下方に向けて延びている。段落部４３には、縦壁５６の下端５６ａが位置していると共に、洗浄流路２５が接続される流出口４４が設けられている。換言すると、洗浄流路２５は、回収部５０の最下底部に接続されている。段落部４３の底部のうち、縦壁５６の下方は、湾曲した湾曲部４３ａとなっている。この湾曲部４３ａは、流出口４４とは長手方向の反対側に位置して、縦壁５６との間で液体を流通しやすくしている。具体的には、給水時（特に、洗剤水生成時）には、給水口４６から供給側空間Ｓ２に水が供給される。そして、湾曲部４３ａは、供給側空間Ｓ２から回収側空間Ｓ１側の上側貯留部４２に向けての水の流通をよくしているので、供給側空間Ｓ２と縦壁５６を挟んだ反対側の空間（回収側空間Ｓ１側の上側貯留部４２ないし段落部４３）との水位差をなくすことができる。これにより、洗剤混合タンク４０内の水位を精度よく検知することができる。
【００５３】
図３に示すように、段落部４３には、洗浄ノズル２０から洗剤水を噴射しているとき（浴槽洗浄中）の洗剤混合タンク４０の最低水位ＷＬが位置している。そして、洗浄流路２５は、流出口４４に接続されることにより、洗剤混合タンク４０の最低水位ＷＬよりも低い位置に接続される。段落部４３により、底部４１ａから最低水位ＷＬまでの洗剤水の容量を少なくすることができ、浴槽洗浄に使用できる洗剤水の量を多くすることができる。
【００５４】
蓋部４５には、給水口４６と、吸排口４７と、泡貯留部５１と、縦壁５６とが設けられている。給水口４６は、蓋部４５の長手方向のうち流出口４４側に設けられている。給水口４６には、給水流路６０が接続される。吸排口４７は、洗浄流路２５に洗剤水を排出するときにケース４１内に空気を吸気すると共に、ケース４１内に洗剤水を貯留するときにケース４１内の空気を排出する。
【００５５】
次に、浴槽１００から回収した洗剤水が排出される泡貯留部５１について説明する。
【００５６】
泡貯留部５１は、給水口４６とは蓋部４５の長手方向の反対側に設けられ、ケース４１の上側貯留部４２内に向けて延びる区画壁となっている。具体的には、泡貯留部５１を構成する底部５１ａと、底部５１ａの開口５１ｂに設けられたフィルタ５１ｄと、底部５１ａの端部から上方に向けて立上がる側壁５１ｃとが本発明の区画壁となっている。そして、区画壁は、内部に回収側空間Ｓ１を形成している。泡貯留部５１は、本発明の消泡手段の一部を構成するもので、底部５１ａがケース４１の底部４１ａに近づくように延びている。泡貯留部５１の底部５１ａには、開口５１ｂが形成されている。この開口５１ｂには、フィルタ５１ｄが設けられている。なお、開口５１ｂは、側壁５１ｃに設けられていてもよい。しかし、側壁５１ｃに開口が設けられた場合には、開口より下方に洗剤水が溜まるので、その溜まった洗剤水が無駄になってしまう。一方、開口５１ｂが、底部５１ａおよび底部５１ａを含む側壁５１ｃに設けられていることで、回収側空間Ｓ１に回収した洗剤水の無駄を低減することができる。
【００５７】
泡貯留部５１は、底部５１ａと底部５１ａの端部から上方に向けて立上がる側壁５１ｃとにより、上端側が開口したボックス状に形成されている。これにより、泡貯留部５１は、洗剤混合タンク４０の内部を、側壁５１ｃにより鉛直方向に区切り、底部５１ａにより水平方向に区切ることにより回収側空間Ｓ１を形成している。すなわち、回収側空間Ｓ１は、洗剤水と、洗剤水に空気が混入して生成された泡Ｂとを貯留可能な泡貯留部５１の内部空間となっている。また、回収側空間Ｓ１に貯留された泡Ｂは、回収側空間Ｓ１の内部で消泡される。
【００５８】
フィルタ５１ｄは、泡貯留部５１の底部５１ａに形成された開口５１ｂに設けられている。フィルタ５１ｄは、泡Ｂと液体（洗剤水）とを分離する濾過部材としての役割を果たす。すなわち、フィルタ５１ｄは、回収側空間Ｓ１に貯留された泡Ｂの通過を抑制（阻止）し、回収側空間Ｓ１に流出した洗剤水の通過を許可する通過部である。フィルタ５１ｄは、例えば多孔質のスポンジ、樹脂材料または金属材料で格子状に形成された網目部材、濾紙、こし布、およびスチールウールを一例として挙げることができる。
【００５９】
なお、通過部は、フィルタ５１ｄに限らず、例えば開口５１ｂを手動的または電気的に開閉可能な開閉部（シャッタ、蓋部等）としてもよい。通過部をこのように構成することで、通過部が閉まっているときには、回収側空間にＳ１に溜まった洗剤水の上面に浮いた泡Ｂを洗剤水を用いて消泡させることができる。そして、泡Ｂを消した後に通過部を開くことで、洗剤水を回収側空間Ｓ１の外部に流出させることができる。また、泡Ｂは、洗剤水の上面に浮くので、水位が通過部に達するまでは通過部を開いた状態で洗剤水を回収側空間Ｓ１から流出させることができるとともに、泡Ｂを消すこともできる。
【００６０】
泡貯留部５１の上端側は、回収流路３０が接続される回収口５４を備えた接続具５２により閉塞されている。接続具５２には、回収側空間Ｓ１の中央部Ｏよりも吸排口４７側に回収流路３０が接続される回収口５４が設けられている。この回収口５４は、泡貯留部５１と共に本発明の消泡手段を構成している。回収口５４は、浴槽１００から回収された洗剤水が流通すると共に、洗剤タンク１０から供給される洗剤が流通する。また、接続具５２には、回収口５４とは反対側に吸排口５５が設けられている。泡貯留部５１に貯留された洗剤水は、開口５１ｂから上側貯留部４２に流出する。言い換えると、泡貯留部５１に貯留された洗剤水は、開口５１ｂに設けられたフィルタ５１ｄから回収側空間Ｓ１の外部に流出する。なお、回収口５４と吸排口５５とが、逆の位置に設けられていてもよい。
【００６１】
次に、回収流路３０が接続される回収口５４の配設位置について説明する。
【００６２】
図３、図４に示すように、回収口５４は、回収側空間Ｓ１の上方に設けられ、回収側空間Ｓ１に連通している。すなわち、回収口５４は、泡貯留部５１の最上部に設けられている。この場合、回収口５４は、回収側空間Ｓ１および接続具５２の中央部Ｏから寸法Ｈ１だけ泡貯留部５１の側壁５１ｃに片寄った位置に形成されている。より具体的には、回収口５４は、開口５１ｂから寸法Ｈ２だけ泡貯留部５１の側壁５１ｃに片寄った位置に形成されている。すなわち、回収口５４は、回収口５４から洗剤水が流出するときに、その落下位置が泡貯留部５１の側壁５１ｃに可及的に近づくように接続具５２の端部（縁側）に形成されている。
【００６３】
泡貯留部５１の回収側空間Ｓ１に貯留された泡Ｂは、泡貯留部５１内に液体が存在するとその液体の上に泡Ｂが浮き、その泡Ｂは表面張力により側壁５１ｃに集まりやすい。回収口５４は、この泡Ｂが溜まりやすい側壁５１ｃの近くに洗剤水を上方から下方に向けて流出させる。これにより、多くの泡Ｂに洗剤水を衝突させて、泡Ｂを消泡させることができる。従って、泡Ｂを液体化させて洗剤水として利用することができるので、洗剤水の損失を低減することができる。また、洗剤水により泡Ｂを消泡するので、洗剤水の濃度が変わらず、浴槽洗浄の洗浄性能を保つことができる。
【００６４】
縦壁５６は、ケース４１の段落部４３の湾曲部４３ａに対応する位置で、ケース４１内を上下方向に延びている。すなわち、縦壁５６は、蓋部４５の上端から湾曲部４３ａに向けて延びている。また、縦壁５６は、ケース４１の長手方向と直交する側の側面を閉塞している。なお、縦壁５６は、蓋部４５に設けられているが、ケース４１に設けられていてもよい。また、縦壁５６は、最高水位ＷＨよりも上側に泡Ｂが上側貯留部４２から供給側空間Ｓ２に越えないような開口が形成されていてもよい。
【００６５】
縦壁５６の下端５６ａは、洗浄ノズル２０から洗剤水を噴射しているときの洗剤混合タンク４０の最低水位ＷＬ以下で洗剤混合タンク４０の底部４１ａ（湾曲部４３ａ）と離間するように設けられている。従って、浴槽１００の洗浄中には、洗剤混合タンク４０内の洗剤水が縦壁５６の下端よりも下がることはない。その結果、仮に泡Ｂが回収側空間Ｓ１から上側貯留部４２に流失した場合であっても、泡Ｂは洗剤水の上面に浮くので、縦壁５６により泡Ｂが上側貯留部４２から供給側空間Ｓ２に移動するのが抑制される。このように、回収部５０は、洗剤混合タンク４０の給水口４６以外の部分を構成している。なお、縦壁５６は、回収口５４と流出口４４との間に複数本設けられていてもよい。
【００６６】
水位検知手段４８は、洗剤混合タンク４０の供給側空間Ｓ２に設けられている。すなわち、水位検知手段４８は、流出口４４と縦壁５６との間に設けられている。この水位検知手段４８は、洗剤混合タンク４０の内部の水位を検知するもので、制御部８０に電気的に接続されている。水位検知手段４８は、例えば磁石を内蔵したフロート４８ａと、ステム４８ｂ内に設けられたリードスイッチとの組み合わせにより水位を検知する。
【００６７】
洗剤混合タンク４０内の水位の変化に伴ってフロート４８ａがステム４８ｂに沿って上下動してフロート４８ａの位置が変化することで、洗剤混合タンク４０内の水位が検知される。この場合、回収側空間Ｓ１に存在する泡Ｂが供給側空間Ｓ２に移動すると、泡Ｂがフロート４８ａを押上げて水位よりも上側で検知することになり、誤作動を起こす虞がある。しかし、回収側空間Ｓ１に存在する泡Ｂは、洗剤水との衝突により消泡される。また、仮に、回収側空間Ｓ１から上側貯留部４２に泡Ｂが流出したとしても、縦壁５６により泡Ｂが供給側空間Ｓ２に移動するのを抑制されるので、水位検知手段４８の検知を適正に行うことができる。
【００６８】
本実施形態の浴槽洗浄装置２００は、上述の如き構成を有するもので、次に浴槽洗浄装置２００の動作について説明する。
【００６９】
浴槽洗浄装置２００は、予備洗浄、本洗浄、およびすすぎの３つの動作モードを実行可能である。
まず、予備洗浄では、給水源ＷＳから洗剤混合タンク４０内に水を供給して貯留し、第１ポンプ２６により洗浄ノズル２０から浴槽１００の内壁面１１０に向けて水を噴射する。所定量の水を浴槽１００の内壁面１１０に向けて噴射したら予備洗浄が終了する。そして、この予備洗浄の後、洗剤水を使った本洗浄が実行される。
【００７０】
本洗浄では、洗剤混合タンク４０で洗剤タンク１０から供給された洗剤と給水源ＷＳから供給された水とを混合して洗剤水を生成する。制御部８０は、洗剤水が生成されたら（水位検知手段４８が最高水位ＷＨを検知したら）、開閉弁１６，６１を閉状態にして、第１ポンプ２６とモータ２１とを駆動する。これにより、洗浄ノズル２０から洗剤水が浴槽１００の内壁面１１０に向けて噴射される。
【００７１】
そして、制御部８０は、水位検知手段４８が最低水位ＷＬを検知したら、第１ポンプ２６とモータ２１との駆動を停止させる。その後、制御部８０は、開閉弁３１を開状態にして第２ポンプ３２を駆動させることにより、浴槽１００に噴射された洗剤水を洗剤混合タンク４０内に回収する。洗剤水の回収を所定時間継続したら、第１ポンプ２６とモータ２１とを駆動させて、浴槽１００の洗浄を再開する。この場合、制御部８０は、第１ポンプ２６と第２ポンプ３２とを制御することにより、洗剤混合タンク４０内の洗剤水が最低水位ＷＬ以下にならないように、洗剤水の噴射と回収とを行う。
【００７２】
ところで、浴槽内に向けて洗浄ノズルから噴射させた洗剤水を回収する際に、わずかでも空気が混入すると洗剤水が泡化し、洗剤混合タンク内に泡が侵入してしまう。そして、洗剤混合タンク内に泡があると、回収した洗剤水を浴槽内に再噴射する際に、その泡を巻き込み、洗浄ノズルからの洗剤水の噴射がうまく行われず、浴槽の洗浄不良になるという問題がある。また、洗剤混合タンク内に泡が侵入すると、洗剤混合タンクの水位検知手段が泡の位置を検知して、制御部が洗剤混合タンク内の洗剤水の量を誤検知する虞がある。
【００７３】
そこで、本実施形態では、洗剤混合タンク４０に浴槽１００の内壁面１１０に噴射された洗剤水を回収する回収部５０を設けている。そして、回収部５０は、浴槽１００から洗剤水を回収するときに発生した泡を消泡する消泡手段を有している。この消泡手段は、回収流路３０が接続される回収口５４と、内部が回収口５４に連通する回収側空間Ｓ１となり泡Ｂを貯留可能に区画された泡貯留部５１とを有している。そして、回収側空間Ｓ１に貯留された泡Ｂは、回収側空間Ｓ１の内部で消泡される。
【００７４】
具体的には、図４に示すように、浴槽１００から洗剤水と泡Ｂとが回収された場合には、洗剤水と泡Ｂとは回収流路３０が接続される回収口５４から泡貯留部５１に流出する。そして、洗剤水は、泡貯留部５１の開口５１ｂに設けられたフィルタ５１ｄからケース４１の上側貯留部４２を介して、縦壁５６の下端５６ａとケース４１の底部４１ａとの間から供給側空間Ｓ２へと流出する。
【００７５】
一方、泡Ｂは、フィルタ５１ｄにより上側貯留部４２への流出が阻止されるので、泡貯留部５１内である回収側空間Ｓ１に貯留される。この場合、泡Ｂは、泡貯留部５１の側壁５１ｃに集まりやすい。そして、回収口５４は、泡Ｂが溜まりやすい側壁５１ｃの近くに洗剤水を上方から下方に向けて流出させることができるように、回収側空間Ｓ１の上方で側壁５１ｃに片寄った位置に設けられている。これにより、回収口５４から供給された洗剤水を多くの泡Ｂに衝突させて、泡Ｂを消滅させることができる。この場合、泡Ｂを液体化させて洗剤水として利用することができるので、洗剤水の損失を低減することができる。また、洗剤水により泡Ｂを消泡するので、洗剤水の濃度が変わらず、浴槽洗浄の洗浄性能を保つことができる。本洗浄が終わったら、すすぎが行われる。すすぎでは、予備洗浄と同じ動作がなされる。すすぎが終了することにより、浴槽１００の自動洗浄が終了する。
【００７６】
かくして、本実施形態の浴槽洗浄装置２００は、消泡手段を備えるため、浴槽１００の内壁面１１０に噴射した洗剤水を回収する際に空気が混ざり泡Ｂが発生したり、回収した洗剤水が回収部５０の内部に流入する際に泡Ｂが発生したりしても、消泡手段によりその発生した泡Ｂを液体化することができる。そのため、洗浄ノズル２０からの洗浄水の噴射がうまく行われず、浴槽１００の洗浄不良となることを抑制することができる。また、泡化した洗剤水を液体に戻すことができるため、回収した洗浄水を有効に活用することができる。よって、回収式にすることで洗浄水の消費量を抑えつつも、洗浄性能の低下を防止することができる。
【００７７】
また、発生した泡Ｂは、泡貯留部５１の回収側空間Ｓ１内で消泡するため、泡Ｂを比較的狭い空間内で消泡することができる。よって、洗剤水を回収する際に泡Ｂが発生したとしても、その発生した泡Ｂを効率よく液体化させることができる。
【００７８】
そして、回収流路３０から供給される洗剤水が上方から下方に向けて流れることで回収側空間Ｓ１内の泡Ｂを消泡するように、回収流路３０と洗剤混合タンク４０との接続部である回収口５４が回収側空間Ｓ１の上方に配置されている。そのため、回収側空間Ｓ１内に存在する泡Ｂに、回収流路３０を通って回収された洗剤水を上方から衝突させ、その勢いにより消泡することができる。よって、洗剤水を回収しつつ、洗剤水を回収する際に発生した泡Ｂを液体化することができる。
【００７９】
また、泡貯留部５１は、回収側空間Ｓ１内に流出した洗剤水が回収側空間Ｓ１内に留まることなく流通可能な通過部としてのフィルタ５１ｄを備えるため、泡Ｂと液体（洗剤水）とを分離しながら洗剤水を回収することができる。そのため、洗剤水が回収側空間Ｓ１内に一旦貯留されるようなものと比較して、回収した洗剤水を早く洗浄ノズルから噴射させることができる。すなわち、泡貯留部５１の開口５１ｂにフィルタ５１ｄを設けるという簡易な構成で、洗剤水の流通を妨げることなく消泡することができるので、洗浄時間を短くすることができ、効率よく浴槽洗浄を行うことができる。
【００８０】
また、回収口５４を回収側空間Ｓ１の上方で泡貯留部５１の側壁５１ｃ側に片寄った位置に設けている。また、回収口５４は、泡貯留部５１の最上部に設けられている。従って、回収流路３０を通って回収された洗剤水の液体を、泡貯留部５１の側壁５１ｃに集まりやすい泡Ｂに効果的に衝突させやすくなる。よって、洗剤水を回収する際に泡Ｂが発生したとしても、その発生した泡Ｂをより効率よく液体化させることができる。
【００８１】
また、泡貯留部５１は、洗剤混合タンク４０内の空間を鉛直方向および水平方向に区切ることで回収側空間Ｓ１を形成しているため、回収側空間Ｓ１を比較的狭く構成することができる。そのため、回収流路３０を通って回収された洗剤水の液体をより効果的に泡Ｂに衝突させやすくなる。よって、洗剤水を回収する際に泡Ｂが発生したとしても、その発生した泡Ｂをより効率よく液体化させることができる。
【００８２】
また、第１ポンプ２６の流量を第２ポンプ３２の流量よりも多くしている。これにより、浴槽１００の内壁面１１０への洗剤水の噴射量を回収量よりも多くしている。従って、浴槽１００から回収部５０に洗剤水を回収するときに、洗剤水に空気が混入するのを抑制することができる。その結果、洗剤水が泡化するのを抑制することができ、浴槽洗浄を円滑に行うことができる。
【００８３】
次に、図５は、本発明の第２実施形態に係る洗剤混合タンク４０（回収部５０）の断面図を示している。
第２実施形態の特徴は、回収流路３０が接続される回収口５４の下方にフィルタ５８を設けたことにある。なお、第２実施形態では、上述の第１実施形態と同一の構成要素に同一符号を付し、その説明を省略する。
【００８４】
フィルタ５８は、回収流路３０が接続される回収口５４の下方に位置してケース４１に設けられている。このフィルタ５８は、第１実施形態のフィルタ５１ｄと同様の材質となっている。フィルタ５８は、ケース４１の側面と縦壁５６との間に設けられ、上側空間が泡Ｂが貯留される回収側空間Ｓ１となっている。本実施形態では、第１実施形態の泡貯留部５１（区画壁）に代えて、ケース４１の側面の上側部分、フィルタ５８、縦壁５６の上側部分により、内部に泡Ｂを貯留可能な区画壁を形成している。すなわち、ケース４１の側面、フィルタ５８、縦壁５６の内部は、回収口５４に連通する回収側空間Ｓ１を形成する区画壁となっている。回収口５４から供給された洗剤水は、フィルタ５８を通過して縦板５６の下端５６ａと底部４１ａとの間から供給側空間Ｓ２へと流出する。一方、回収口５４から流出した泡Ｂは、フィルタ５８上に留まり、上方から流出する洗剤水により消泡される。第２実施形態では、回収口５４と、区画壁としてのケース４１の側面、フィルタ５８、縦壁５６とが本発明の消泡手段を構成している。
【００８５】
かくして、このように構成された第２実施形態においても、上述した第１実施形態と同様に、浴槽１００の内壁面１１０に噴射した洗剤水を回収する際に空気が混ざり泡Ｂが発生したり、回収した洗剤水が回収部５０の内部に流入する際に泡Ｂが発生したりしても、消泡手段によりその発生した泡Ｂを液体化することができる。そのため、洗浄ノズル２０からの洗浄水の噴射がうまく行われず、浴槽１００の洗浄不良となることを抑制することができる。また、泡化した洗剤水を液体に戻すことができるため、回収した洗浄水を有効に活用することができる。よって、回収式にすることで洗浄水の消費量を抑えつつも、洗浄性能の低下を防止することができる。
【００８６】
図６は、本発明の第１変形例に係る浴槽洗浄装置２０１のシステム図である。
上述した第１実施形態では、洗剤混合タンク４０に回収部５０が設けられたものを例に挙げて説明した。しかし、本発明はこれに限らず、例えば図６に示す第１変形例のように、浴槽洗浄装置２０１は、回収部を洗剤混合タンク４０１と別個に形成した回収タンク５０１としてもよい。このように構成した場合には、洗剤混合タンク４０１は、新しい洗剤水のみを生成するものとなる。そして、本洗浄中には、浴槽１００と回収タンク５０１との間で洗剤水が循環する。このことは、第２実施形態についても同様である。
【００８７】
図７は、本発明の第２変形例に係る浴槽洗浄装置２０２のシステム図である。
上述した第１実施形態では、洗剤混合タンク４０に回収部５０が設けられたものを例に挙げて説明した。しかし、本発明はこれに限らず、例えば図７に示す第２変形例のように、浴槽洗浄装置２０２がベンチュリ式として洗剤混合部４０２を備えたものでは、回収部を回収タンク５０２とすることができる。このように構成した場合には、洗剤混合部４０２で、生成された洗剤水が浴槽１００と回収タンク５０２との間で循環する。このことは、第２実施形態についても同様である。
【００８８】
図８は、本発明の第３変形例に係る浴槽洗浄装置２０３のシステム図である。
上述した第１実施形態では、洗浄流路２５に設けられた第１ポンプ２６と回収流路３０に設けられた第２ポンプ３２とを別個に設けた場合を例に挙げて説明した。しかし、本発明はこれに限らず、例えば図８に示す第３変形例のように、浴槽洗浄装置２０３は、洗浄流路２５と回収流路３０との一部を共通化させて、その共通した流路に１個の第１ポンプ９０を設けてもよい。このように構成した場合には、第１ポンプ９０を正転させることにより洗剤混合タンク４０から洗浄ノズル２０に向けて洗剤水を供給することができ、第１ポンプ９０を逆転させることにより浴槽１００から洗剤混合タンク４０に向けて洗剤水を回収することができる。このことは、第２実施形態についても同様である。
【００８９】
また、上述した第１実施形態では、泡貯留部５１と縦壁５６とが設けられたものを例に挙げて説明した。しかし、本発明はこれに限らず、例えば縦壁５６を設けずに泡貯留部５１のみを設けてもよい。
【００９０】
また、上述した第１実施形態では、泡貯留部５１が蓋部４５に設けられた場合を例に挙げて説明した。しかし、本発明はこれに限らず、例えば泡貯留部５１をケース４１に設けてもよい。
【００９１】
また、上述した第１実施形態では、回収口５４を泡貯留部５１の上端側を閉塞する接続具５２に設けた場合を例に挙げて説明した。しかし、本発明はこれに限らず、例えば回収口５４をケース４１の側壁の上端側に設けてもよい。すなわち、回収口は、下方に位置する泡に向けて上方から洗剤水が流出するように設けられていればよい。このことは、第２実施例についても同様である。
【００９２】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、浴槽洗浄装置２００が備える各要素の形状、寸法、材質、配置などは、例示したものに限定されるわけではなく適宜変更することができる。  
【００９３】
また、前述した各実施形態が備える各要素は、技術的に可能な限りにおいて組み合わせることができ、これらを組み合わせたものも本発明の特徴を含む限り本発明の範囲に包含される。
【符号の説明】
【００９４】
１ 洗剤タンク、１０ 洗剤タンク、１５ 洗剤流路、２０ 洗浄ノズル、２５ 洗浄流路、２６ ポンプ、３０ 回収流路、４０，４０１，４０２ 洗剤混合タンク、４３ 段落部、４８ 水位検知手段、５０ 回収部、５１ 泡貯留部、５６ 縦壁、５１ｄ，５８ フィルタ、８０ 制御部、１００ 浴槽、１１０ 内壁面、２００，２０１，２０２，２０３ 浴槽洗浄装置、５０１，５０２ 回収タンク、Ｂ 泡、Ｓ１ 回収側空間、Ｓ２ 供給側空間、ＷＨ 最高水位、ＷＬ 最低水位、ＷＳ 給水源
【図１】
2020096664.tif 000003
【図２】
2020096664.tif 000004
【図３】
2020096664.tif 000005
【図４】
2020096664.tif 000006
【図５】
2020096664.tif 000007
【図６】
2020096664.tif 000008
【図７】
2020096664.tif 000009
【図８】
2020096664.tif 000010